(57)【特許請求の範囲】
【請求項１】
少なくも画像及び所定の指標を表示可能な表示手段と、
所定の操作入力を受け付ける操作入力手段と、
所定のオートフォーカスモードに設定されているか否かを判定するモード判定手段と、
上記モード判定手段により所定のオートフォーカスモードに設定されていると判定された場合に上記所定の指標の一つであるオートフォーカス検波可能枠を上記表示手段に所定時間だけ表示し、該所定時間経過後に消すよう制御するオートフォーカス検波可能枠表示手段と、
上記操作入力手段の操作入力を受け付けてオートフォーカスポイントを設定するオートフォーカスポイント設定手段と、
上記操作入力手段により、オートフォーカス検波可能枠外でオートフォーカスポイントが指定された場合に、上記オートフォーカス検波可能枠表示手段により、上記表示手段に上記オートフォーカス検波可能枠を再度表示するよう制御する主制御手段とを備えた
ことを特徴とする撮像装置。
【請求項２】
上記オートフォーカスモードとは、上記オートフォーカス検波可能枠の中の任意位置にオートフォーカスポイントを設定可能なスポットオートフォーカスモードである
ことを特徴とする請求項１に記載の撮像装置。
【請求項３】
所定のオートフォーカスモードに設定されているか否かを判定するステップと、
所定のオートフォーカスモードに設定されていると判定された場合にオートフォーカス検波可能枠を表示手段に所定時間だけ表示し、該所定時間経過後に消すよう制御するステップと、
操作入力手段によりオートフォーカス検波可能枠外でオートフォーカスポイントが指定された場合に、上記表示手段に上記オートフォーカス検波可能枠を再度表示するよう制御するステップとを備えた
ことを特徴とする画像表示制御方法。
【請求項４】
コンピュータが、
所定のオートフォーカスモードに設定されているか否かを判定するモード判定手段と、
上記モード判定手段により所定のオートフォーカスモードに設定されていると判定された場合にオートフォーカス検波可能枠を表示手段に所定時間だけ表示し、該所定時間経過後に消すよう制御するオートフォーカス検波可能枠表示手段と、
オートフォーカスポイントを設定するオートフォーカスポイント設定手段と、
上記オートフォーカス検波可能枠外で上記オートフォーカスポイントが指定された場合に、上記オートフォーカス検波可能枠表示手段により、上記表示手段に上記オートフォーカス検波可能枠を再度表示するよう制御する主制御手段として機能する
ことを特徴とするプログラム。
【発明の詳細な説明】
【技術分野】
【０００１】
本発明は、例えばデジタルスチルカメラ等の撮像装置に係り、特にオートフォーカス（AF; Auto Focus）の検波可能な範囲を適切に表示する撮像装置、画像表示制御方法、プログラムに関する。
【背景技術】
【０００２】
従来、デジタルスチルカメラやデジタルビデオカメラ等の撮像装置では、ＡＦ機能が搭載されている。このＡＦ機能は、被写体に自動的に合焦させるものであり、一般的にはＣＣＤ(Charge Coupled Device)やＣＭＯＳ(Complementary Metal Oxide Semiconductor)等の撮像素子により被写体像を撮像し、撮像画像のコントラストに基づいてフォーカス位置を自動的に決定する場合が多い。
【０００３】
そして、今日では、ユーザが所望とする撮像画像中の位置にフォーカスを合わせるために、所定のＡＦ検波可能枠の中でＡＦポイントを適宜設定できる所謂スポットＡＦも可能となっている。このスポットＡＦにモードが設定されている場合には、ユーザは、ＡＦ検波可能枠の中で所望とするＡＦポイントを選択し、所定の操作入力により当該ＡＦポイントを画面上で設定した後、通常の撮影動作を行うことになる。
【０００４】
尚、例えば特許文献１では、フォーカスエリア選択装置で所定のＣＣＤ枠内に被写体のピントを合わせたい位置に表示装置をみながら、例えばタッチパネルで適宜の大きさ、形状並に位置を指示してフォーカスエリアを決定するオートフォーカスカメラ装置が開示されている（例えば、段落［００２１］等参照）。
【０００５】
【特許文献１】特開平０６−１１３１８７号公報
【発明の開示】
【発明が解決しようとする課題】
【０００６】
しかしながら、特許文献１に係る技術では、ＡＦポイントを示すＡＦ枠（フォーカスエリア）は画面中に表示されるものの、ＡＦポイントが設定可能な範囲を示すＡＦ検波可能枠を表示することはなされていない。一方、該ＡＦ検波可能枠を画面に表示したままとすると、画面でスルー画像を確認しつつ所望とする構図で撮影をしようとしているユーザにとっては、所望とする撮影シーンを選定する上で煩わしさを与えていた。
【０００７】
さらに、ユーザの意思に基づく操作入力によりＡＦ検波可能枠を画面上に表示／非表示と切り換えることも考えられるが、その場合、操作が非常に煩雑となる。
【０００８】
本発明は、ユーザに対してＡＦ検波可能枠を適正に示唆し、例えばスポットＡＦ時におけるＡＦポイントの適正な設定を可能とすることを課題とする。
【課題を解決するための手段】
【００１１】
本発明の第１の観点に係る撮像装置によれば、表示手段が少なくも画像及び所定の指標が表示可能であり、操作入力手段は所定の操作入力を受け付け、モード判定手段は所定のオートフォーカスモードに設定されているか否かを判定し、オートフォーカス検波可能枠表示手段は上記モード判定手段により所定のオートフォーカスモードに設定されていると判定された場合に上記所定の指標の一つであるオートフォーカス検波可能枠を上記表示手段に所定時間だけ表示し、該所定時間経過後に消すよう制御する。オートフォーカスポイント設定手段は、上記操作入力手段の操作入力を受け付けてオートフォーカスポイントを設定する。主制御手段は、上記操作入力手段により、オートフォーカス検波可能枠外でオートフォーカスポイントが指定された場合に、上記オートフォーカス検波可能枠表示手段により、上記表示手段に上記オートフォーカス検波可能枠を再度表示するよう制御する。
【００１２】
従って、操作入力手段の操作入力によりオートフォーカス検波可能枠外でオートフォーカスポイントが指定された場合に、主制御手段が該オートフォーカス検波可能枠を表示手段に再度表示することで、再入力を促すことになる。
【００１３】
尚、上記オートフォーカスモードを、上記オートフォーカス検波可能枠の中の任意位置にオートフォーカスポイントを設定可能なスポットオートフォーカスモードとしてもよい。
【００１４】
本発明の第２の観点に係る画像表示制御方法は、所定のオートフォーカスモードに設定されているか否かを判定し、所定のオートフォーカスモードに設定されていると判定された場合にオートフォーカス検波可能枠を表示手段に所定時間だけ表示し、該所定時間経過後に消すよう制御し、操作入力手段によりオートフォーカス検波可能枠外でオートフォーカスポイントが指定された場合に上記表示手段に上記オートフォーカス検波可能枠を再度表示するよう制御する。
【００１５】
従って、オートフォーカス検波可能枠外でオートフォーカスポイントが指定された場合に該オートフォーカス検波可能枠を再度表示することで、再入力を促すことになる。
【００１６】
本発明の第３の観点に係るプログラムは、コンピュータが、所定のオートフォーカスモードに設定されているか否かを判定するモード判定手段と、上記モード判定手段により所定のオートフォーカスモードに設定されていると判定された場合にオートフォーカス検波可能枠を表示手段に所定時間だけ表示し、該所定時間経過後に消すよう制御するオートフォーカス検波可能枠表示手段と、オートフォーカスポイントを設定するオートフォーカスポイント設定手段と、上記オートフォーカス検波可能枠外で上記オートフォーカスポイントが指定された場合に、上記オートフォーカス検波可能枠表示手段により、上記表示手段に上記オートフォーカス検波可能枠を再度表示するよう制御する主制御手段として機能する。
【００１７】
従って、プログラムに基づくソフトウェア処理により、オートフォーカス検波可能枠外でオートフォーカスポイントが指定された場合に該オートフォーカス検波可能枠を再度表示することで、再入力を促すことになる。
【発明の効果】
【００１８】
本発明によれば、ユーザに対してＡＦ検波可能枠を適正に示唆し、例えばスポットＡＦ時におけるＡＦポイントの適正な設定を可能とする撮像装置、画像表示制御方法、プログラムを提供することができる。
【発明を実施するための最良の形態】
【００１９】
以下、図面を参照して、本発明を実施するための最良の形態（以下、単に実施の形態という）について詳細に説明する。
【００２０】
図１には本発明の第１の実施の形態に係る撮像装置の構成を示し説明する。
【００２１】
この図１に示されるように、この撮像装置は、全体の制御を司る制御部１、操作入力部３、記憶部４、表示部５からなる。そして、この制御部１は、記憶部４に格納されている制御プログラム２を読み出し実行することで、モード判定機能２ａ、ＡＦ検波可能枠表示機能２ｂ、ＡＦポイント設定機能２ｃ、主制御機能２ｄを奏する。制御部１が、各機能２ａ乃至２ｄを奏するとき、例えば、モード判定手段、ＡＦ検波可能枠表示手段、ＡＦポイント設定手段、主制御手段としての役割を果たすことになる。
【００２２】
このような構成において、制御部１は、モード判定機能２ａにより、設定されたモードの種別を判定する。より詳細には、例えば、マルチＡＦモード、スポットＡＦモード等に設定可能であるが、それらの種別を判定する。
【００２３】
ここで、マルチＡＦモードとは、画面全体を基準に自動ピント合わせをするモードであり、スポットＡＦモードとは、画面上の好きなところにＡＦ枠を移動し、非常に小さな被写体や狭いエリアを狙ってピント合わせを行うモードである。
【００２４】
例えば、スポットＡＦモードに設定されている場合には、ＡＦ検波可能枠表示機能２ｂにより表示部５の画面１００にＡＦ検波可能枠１００ａを所定時間の間、表示する。これにより、ユーザに、ＡＦポイントが設定可能な範囲を認識させ、当該範囲内でのＡＦポイントの設定を促す。
【００２５】
続いて、制御部１は、操作入力部３としての例えばタッチパネルからの信号によりユーザが所望とするＡＦポイントを指示したことを検知すると、主制御機能２ｄにより当該ＡＦポイントがＡＦ検波可能枠の範囲内であるか否かを判断し、該範囲内であれば表示部５の画面１０１にＡＦポイントをＡＦ枠１０１ａで示し、一方、範囲外であれば表示部５の画面１０２にＡＦ検波可能枠１０２ａを所定時間の間、再表示する。
【００２６】
このとき、ＡＦポイントに係るＡＦ枠は表示されないので、ユーザはＡＦ検波可能枠１０２ａの範囲内で操作入力部３を操作して、ＡＦポイントを再度指定しなければならないことを認識することになる。
【００２７】
このように、本発明の第１の実施の形態に係る撮像装置は、
・所定モードに設定されている場合には、ＡＦ検波可能枠を表示する。
【００２８】
・該ＡＦ検波可能枠は所定時間経過後に消される。
【００２９】
・ＡＦ検波可能枠の範囲内でＡＦポイントが指定されなかった場合にはリアルタイムに再度、画面内にＡＦ検波可能枠を表示する。
ことを特徴とする。
【００３０】
したがって、ユーザにＡＦ検波可能枠、つまりＡＦポイントを指定できる範囲を的確に示唆することができる。更に、必要以上にＡＦ検波可能枠を表示しないので、ユーザに煩わしさを与えることを防止することができる。そして、ユーザに適切なＡＦポイントの設定を促すことができる。
【００３１】
次に、本発明の第２の実施の形態について説明する。
【００３２】
図２には本発明の第２の実施の形態に係る撮像装置の構成を示し説明する。
【００３３】
これは、前述した第１の実施の形態に係る撮像装置を更に具現化したものである。
【００３４】
この図２に示されるように、第１の実施の形態に係る撮像装置には、撮影レンズ、絞り、フォーカスレンズ等を概念上含むレンズ部１１が配設されている。そして、このレンズ部１１を介して入射する被写体光の光路上には、ＣＣＤ(Charge Coupled Device)等の撮像素子１２が配置されている。この撮像素子１２の出力は、アナログ信号処理部１３、アナログ／ディジタル(A/D; Analog/Digital)変換部１４を介してディジタル信号処理部１５の入力に接続されている。そして、このディジタル信号処理部１５の出力は、液晶パネル１７、記録デバイス１９の入力に電気的に接続されている。
【００３５】
レンズ部１１には、それを構成する絞りの調整やフォーカスレンズの移動を行うためのアクチュエータ２０が機械的に接続されている。そして、該アクチュエータ２０は、その駆動制御を行うためのモータドライバ２１に接続されている。
【００３６】
さらに、この撮像装置には、全体の制御を司るＣＰＵ(Central Processing Unit)２３が配設されており、該ＣＰＵ２３は、モータドライバ２１、タイミングジェネレータ(TG; Timing Generator)２２、操作部２４、ＥＥＰＲＯＭ(Electrically Erasable Programmable ROM)２５、プログラムＲＯＭ(Read Only Memory)２６、ＲＡＭ(Random Access Memory)２７、タッチパネル１６と接続されている。
【００３７】
尚、ＣＰＵ２３がプログラムＲＯＭ２６に格納された制御プログラムを読み出し、実行することで、制御手段、特にモード設定手段、ＡＦ検波可能枠表示手段、ＡＦポイン設定手段、主制御手段等として機能する。
【００３８】
タッチパネル１６と液晶パネル１７とでタッチスクリーン１８が構成される。
【００３９】
記録デバイス１９は、例えばＤＶＤ(Digital Versatile Disc)等のディスクやメモリカード等の半導体メモリその他のリムーバブルな記録媒体であり、撮像装置本体に対して着脱自在となっている。ＥＥＰＲＯＭ２５は、設定された各種情報その他の電源がオフにされたときも保持すべきデータ等を記憶する為のものである。プログラムＲＯＭ２６は、ＣＰＵ２３が実行するプログラム、該プログラムを実行する上で必要なデータを記憶する為のものである。そして、ＲＡＭ２７は、ＣＰＵ２３が各種処理を実行する際のワークエリアとして必要なプログラムやデータを一時記憶する為のものである。
【００４０】
このような構成において、ＣＰＵ２３は、プログラムＲＯＭ２６に記録されているプログラムを実行することにより撮像装置を構成する各部を制御し、タッチパネル１６からの信号や、操作部２４からの信号に応じて、所定の処理を実行する。操作部２４は、ユーザによって操作されるもので、該操作に対応した信号をＣＰＵ２３に供給する。
【００４１】
すなわち、タッチパネル１６の任意の位置に指が触れる等して押下されると、つまりユーザにより所定の操作入力がなされると、該タッチパネル１６より押下された位置の座標が検出され、当該座標に係る信号がＣＰＵ２３に送出され、該ＣＰＵ２３は該座標に対応する所定の情報を取得し、該情報に基づいて所定の処理を実行する。
【００４２】
レンズ部１を介して被写体光が入射すると、撮像素子１２は被写体光を撮像し、光電変換し、アナログの画像信号を出力する。このとき、モータドライバ２１は、ＣＰＵ２３の制御に基づきアクチュエータ２０を駆動する。この駆動により、レンズ部１１は、撮像装置の筐体から露出／収納される。また、この駆動により、レンズ部１１を構成する絞りの調整や、レンズ部１１を構成するフォーカスレンズの移動が行われる。
【００４３】
さらに、タイミングジェネレータ２２は、ＣＰＵ２３の制御に基づいて、タイミング信号を撮像素子１２に供給する。このタイミング信号により撮像素子１２における露出時間等が制御される。撮像素子１２は、このタイミングジェネレータ２２から供給されるタイミング信号に基づいて動作することにより、レンズ部１１を介して入射する被写体からの光を受光して光電変換を行い、受光量に応じた電気信号としてのアナログの画像信号を、アナログ信号処理部１３に供給する。アナログ信号処理部１３は、ＣＰＵ２３の制御に基づいて、撮像素子１２から送出されたアナログの画像信号に対してアナログ信号処理（増幅等）を行い、その結果得られる画像信号を、Ａ／Ｄ変換部１４に供給する。
【００４４】
その後、Ａ／Ｄ変換部１４は、ＣＰＵ２３の制御に基づいて、アナログ信号処理部１３からのアナログの画像信号をＡ／Ｄ変換し、その結果得られるディジタルの画像データをディジタル信号処理部１５に供給することになる。ディジタル信号処理部１５は、ＣＰＵ２３の制御に基づいてＡ／Ｄ変換部１４からのディジタルの画像信号に対し、ノイズ除去処理等のディジタル信号処理を施し、液晶パネル１７に供給して表示させる。
【００４５】
ディジタル信号処理部１５は、Ａ／Ｄ変換部１４からのディジタルの画像信号を、例えばＪＰＥＧ(Joint Photographic Experts Group)方式等で圧縮し、その結果、得られる圧縮されたディジタルの画像信号を、記録デバイス１９に供給して記録させる。
【００４６】
更に、ディジタル信号処理部１５は、記録デバイス１９に記録された圧縮された画像データを伸張し、その結果得られる画像データを液晶パネル１７に供給して表示させる。つまり、ディジタル信号処理部１５は、Ａ／Ｄ変換部１４からの画像データを、液晶パネル１７に供給し、これにより液晶パネル１１では所謂スルー画が表示される。その他、ディジタル信号処理部１５は、ＣＰＵ２３の制御に基づいて、フォーカスの制御に用いるフォーカス枠（ＡＦ枠）の画像を生成し、液晶パネル１７に供給して表示させる。
【００４７】
その後、ユーザが操作部２４に概念上含まれるシャッタボタンを押下すると、操作部２４からレリーズ信号がＣＰＵ２３に供給される。このようにして、レリーズ信号がＣＰＵ２３に供給されると、該ＣＰＵ２３はディジタル信号処理部１５を制御し、Ａ／Ｄ変換部１４からディジタル信号処理部１５に供給された画像データを圧縮させ、この圧縮された画像データを記録デバイス１９に記録させることになる。
【００４８】
この撮像装置は、ＡＦ機能を有している。この実施の形態に係る撮像装置では、撮像素子１２によって撮像された画像上にＡＦ枠が設定され、そのＡＦ枠の内部の画像に基づいてフォーカスが制御される。このＡＦ機能では、ＡＦ枠を、液晶パネル１７に表示された画像上の任意の位置に設定することができるようになっており、さらに、液晶パネル１７と一体的に構成されたタッチパネル１６に対する操作だけで、その位置やサイズ等の制御を行うことができるようになっている。ＡＦ処理は、ＣＰＵ２３がプログラムＲＯＭ２６のプログラムを読み出して実行することで実現されることになる。
【００４９】
ここで、特に特徴的なのは、以下の点である。即ち、ＣＰＵ２３は、モードの種別を判定し、例えば、スポットＡＦモードに設定されている場合には、液晶パネル１７にＡＦ検波可能枠を所定時間の間、表示する。これにより、ユーザに、ＡＦポイントが設定可能な範囲を認識させ、当該範囲内でのＡＦポイントの設定を促す。続いて、ＣＰＵ２３は、タッチパネル１６からの信号によりユーザが所望とするＡＦポイントを指示したことを検知すると、該ＡＦポイントがＡＦ検波可能枠の範囲内であるか否かを判断し、該範囲内であれば液晶パネル１７にＡＦポイントをＡＦ枠で示し、一方、範囲外であれば液晶パネル１７にＡＦ検波可能枠を所定時間の間、再表示する。このとき、ＡＦポイントに係るＡＦ枠は表示されないので、ユーザはＡＦ検波可能枠の範囲内でタッチパネル１６を操作してＡＦポイントを再度指定しなければならないことを認識することになる。
【００５０】
このように、本発明の第２の実施の形態に係る撮像装置は、所定モードに設定されている場合には、ＡＦ検波可能枠を表示し、該ＡＦ検波可能枠を所定時間経過後に消す。そして、ＡＦ検波可能枠の範囲内でＡＦポイントが指定されなかった場合にはリアルタイムに再度、画面内にＡＦ検波可能枠を表示することを特徴とする。従って、ユーザにＡＦ検波可能枠、つまりＡＦポイントを指定できる範囲を的確に示唆することができ、必要以上にＡＦ検波可能枠を表示しないので、ユーザに煩わしさを与えることを防止することができる。そして、ユーザに適切なＡＦポイントの設定を促すことができる。
【００５１】
次に、図３には本発明の第２の実施の形態に係る撮像装置の概観図を示し説明する。
【００５２】
図３（ａ）は該撮像装置の後方斜視図であり、図３（ｂ）は前方斜視図である。
【００５３】
撮像装置の前面はレンズカバーで覆われており、該前面のレンズカバー５７が下方に開かれると、レンズ部１１に概念上含まれる撮影レンズ５５とＡＦイルミネータ５６が露呈するように配置されている。このＡＦイルミネータ５６は、セルフタイマランプを兼ねている。撮像装置の上面には、ズームレバー（TELE/WIDE）５１とシャッタボタン５２、再生ボタン５３、パワーボタン５４が配置されている。更に、撮像装置の後面には、タッチスクリーン１８が設けられている。ズームレバー５１、シャッタボタン５２、再生ボタン５３、パワーボタン５４は、操作部２４に概念上含まれる。
【００５４】
以下、図４のフローチャートを参照して、本発明の第２の実施の形態に係る撮像装置による特徴的な処理について詳細に説明する。ここでは、図５を適宜参照する。尚、以下の一連の処理は、第２の実施の形態に係る画像表示方法にも相当するものである。
【００５５】
さて、この処理を開始すると、ＣＰＵ２３はスポットＡＦモードに設定されているか否かを判断する（ステップＳ１）。この撮像装置では、例えば、マルチＡＦモード、スポットＡＦモード等の中から所望とするモードが選択自在となっている。
【００５６】
ここで、ＣＰＵ２３は、スポットＡＦモードに設定されていない場合には（ステップＳ１をＮｏに分岐）、設定されたモードに従って所定の処理を行い、ステップＳ７に移行する。一方、ＣＰＵ２３は、スポットＡＦモードに設定されていると判断した場合には、タッチパネル１６の画面にＡＦ検波可能枠を所定時間表示する（ステップＳ２）。
【００５７】
この表示の様子は、図５（ａ）に示される。画面２００の中にＡＦ検波可能枠２００ａが表示される。この表示は、所定時間経過後に自動的に消去される。これにより、ユーザに対してＡＦ検波可能枠２００ａの範囲内でのＡＦポイントの設定を促す。
【００５８】
続いて、ＣＰＵ２３は、ユーザによりタッチパネル１６が操作されて、ＡＦポイントが指定されたか否かを判断する（ステップＳ３）。ここで、ＡＦポイントが指定されると（ステップＳ３をＹｅｓに分岐）、ＣＰＵ２３は、タッチパネル１６で指定されたＡＦポイントがＡＦ検波可能枠内であるか否かを判断する（ステップＳ４）。
【００５９】
ここで、タッチパネル１６で指定されたＡＦポイントがＡＦ検波可能枠内である場合には、例えば図５（ｂ）に示されるように、タッチスクリーン１８の画面上に指定されたＡＦポイントを中心とする矩形のＡＦ枠２０１ａを表示すると共に、該ＡＦポイントを設定し（ステップＳ５）、所定の撮影動作を行い、この撮影動作により得られた画像データを記録デバイス１９に記録し（ステップＳ７）、こうして一例の処理を終了する。
【００６０】
一方、タッチパネル１６で指定されたＡＦポイントがＡＦ検波可能枠内でない場合にはステップＳ２に戻り、再びＡＦ検波可能枠を所定時間表示する（ステップＳ２）。
【００６１】
この表示の様子は、例えば図５（ｃ）に示される。撮像装置のタッチスクリーン１８の画面２０２上に、再びＡＦ検波可能枠２０２ａが撮像画面内に表示されている。これにより、再びユーザに対して、所定のＡＦ検波可能枠２０２ａの範囲内でＡＦポイントを指定するように促される。その後、前述した処理を実行する（ステップＳ３，Ｓ４）。
【００６２】
以上説明したように、本発明の第１及び第２の実施の形態によれば、ユーザにＡＦ検波可能枠、つまりＡＦポイントを指定できる範囲を的確に示唆することができ、必要以上にＡＦ検波可能枠を表示しないことでユーザに煩わしさを与えることを防止し、ユーザに適切なＡＦポイントの設定を促すことができる画像表示装置、撮像装置、画像表示方法、及びプログラムを提供することができる。
【００６３】
以上、本発明の一実施の形態について説明したが、本発明はこれに限定されることなくその趣旨を逸脱しない範囲で種々の改良・変更が可能である。
【００６４】
例えば、前述した実施の形態では、ＡＦ検波可能枠を所定時間経過後に消すこととしていたが、これに限定されることなく、例えば、１回目に該ＡＦ検波可能枠外にＡＦポイントを設定しようとした場合から、２回目、３回目・・・と同じ過ちを繰り返す度に表示時間を長くするようにしてもよい。或いは、ＡＦ検波可能枠外にＡＦポイントを設定しようとした場合に、ＡＦ検波可能枠を再度表示すると共に、所定の警告表示をなすようにしてもよい。或いは、所定回数以上、ＡＦ検波可能枠外でＡＦポイントを設定しようとした場合にはじめて該警告表示をなすようにしてもよい。
【図面の簡単な説明】
【００６５】
【図１】本発明の第１の実施の形態に係る画像表示装置の概念図。
【図２】本発明の第２の実施の形態に係る撮像装置の構成を示す図
【図３】（ａ）は本発明の第２の実施の形態に係る撮像装置の後方斜視図、（ｂ）は本発明の第２の実施の形態に係る撮像装置の前方斜視図。
【図４】本発明の第２の実施の形態に係る撮像装置による特徴的な処理について詳細に説明するフローチャート。
【図５】（ａ）乃至（ｃ）は、本発明の第２の実施の形態に係る撮像装置のタッチスクリーンの表示例を示す図。
【符号の説明】
【００６６】
１…制御部、２…制御プログラム、２ａ…モード設定機能、２ｂ…ＡＦ検波可能枠表示機能、２ｃ…ＡＦポイント設定機能、２ｄ…主制御機能、３…操作入力部、４…記憶部、５…表示部、１１…レンズ部、１２…撮像素子、１３…アナログ信号処理部、１４…Ａ／Ｄ変換部、１５…ディジタル信号処理部、１６…タッチパネル、１７…液晶パネル、１８…タッチスクリーン、１９…記録デバイス、２０…アクチュエータ、２１…モータドライバ、２２…タイミングジェネレータ、２３…ＣＰＵ、２４…操作部、２５…ＥＥＰＲＯＭ、２６…プログラムＲＯＭ、２７…ＲＡＭ
【図１】
0004883413.tif 000002
【図２】
0004883413.tif 000003
【図３】
0004883413.tif 000004
【図４】
0004883413.tif 000005
【図５】
0004883413.tif 000006